(57)【要約】【課題】  在宅療養・療法での管理，支援をきめ細やかにできるシステムの提供。【解決手段】本発明の在宅療養・療法での管理支援できるシステムは、在宅療養・治療を支援するための支援システムであって、在宅での患者に対し、掛かりつけ医，複数の専門医を情報ネットワークで構成して、医学的指導を担い、情報通信端末を備えた医療サイトと、在宅患者情報，医療サイトの情報，健康管理支援サービスサイトの情報を一括して管理するサーバーサイトと、患者が在宅において測定機器により測定した健康関連情報を健康管理支援サービスサイトのサーバに送信する送信手段と、からなることを特徴とする。【選択図】  図１
2005227928.tif 000002
【特許請求の範囲】
【請求項１】
在宅療養・治療を支援するための支援システムであって、
在宅での患者に対し、掛かりつけ医，複数の専門医を情報ネットワークで構成して、医学的指導を担い、情報通信端末を備えた医療サイトと、
前記患者情報，医療サイトの情報，健康管理支援サービスサイトの情報を一括して管理するサーバーサイトと、
前記患者が在宅において測定機器により測定した健康関連情報を健康管理支援サービスサイトのサーバに送信する送信手段と、からなることを特徴とする在宅療養・治療支援システム。
【請求項２】
在宅での患者に対し、掛かりつけ医，複数の専門医を情報ネットワークで構成して、医学的指導を担い、情報通信端末を備えた医療サイトと、前記患者情報，医療サイトの情報，健康管理支援サービスサイトの情報を一括して管理するサーバーサイトと、前記患者が在宅において測定機器により測定した健康関連情報を健康管理支援サービスサイトのサーバに送信する送信手段とからなる在宅療養・治療支援システムの制御方法であって、
前記サーバにおいて入力及び／またはサーバへ送信された前記患者の生体情報に基づいた診断要求するステップと、
診断要求に応じて、前記患者の生体情報を情報通信ネットワークを介して前記掛かりつけ医に自動送信するステップとからなることを特徴とする在宅療養・治療支援システムの制御方法。
【請求項３】
在宅での患者に対し、掛かりつけ医，複数の専門医を情報ネットワークで構成して、医学的指導を担い、情報通信端末を備えた医療サイトと、前記患者情報，医療サイトの情報，健康管理支援サービスサイトの情報を一括して管理するサーバーサイトと、前記患者が在宅において測定機器により測定した健康関連情報を健康管理支援サービスサイトのサーバに送信する送信手段とからなる在宅療養・治療支援システムの制御方法であって、
前記サーバにおいて入力及び／またはサーバへ送信された前記患者の生体情報が所定の値を外れる場合に自動的に診断要求するステップと、
診断要求に応じて、前記患者の生体情報を情報通信ネットワークを介して前記掛かりつけ医に自動送信するステップとからなることを特徴とする在宅療養・治療支援システムの制御方法。
【請求項４】
前記掛かりつけ医の診断要求に応じて、前記複数の専門医のうちのいずれかに前記患者の生体情報が前記情報通信ネットワークを介して送信されるステップをさらに含むことを特徴とする請求項２または３に記載の在宅療養・治療支援システムの制御方法。            
【請求項５】
在宅での患者に対し、掛かりつけ医，複数の専門医を情報ネットワークで構成して、医学的指導を担い、情報通信端末を備えた医療サイトと、前記患者情報，医療サイトの情報，健康管理支援サービスサイトの情報を一括して管理するサーバーサイトと、前記患者が在宅において測定機器により測定した健康関連情報を健康管理支援サービスサイトのサーバに送信する送信手段とからなる在宅療養・治療支援システムの制御方法であって、
前記患者の生体情報を情報通信ネットワークを介して前記掛かりつけ医及び／または前記専門医により診断された診断結果及び／または処方を入力するステップと、前記入力された診断結果及び保険料請求を前記患者のサイトに自動送信するステップとからなることを特徴とする在宅療養・治療支援システムの制御方法。
【請求項６】
在宅での患者に対し、掛かりつけ医，複数の専門医を情報ネットワークで構成して、医学的指導を担い、情報通信端末を備えた医療サイトと、前記患者情報，医療サイトの情報，健康管理支援サービスサイトの情報を一括して管理するサーバーサイトと、前記患者が在宅において測定機器により測定した健康関連情報を健康管理支援サービスサイトのサーバに送信する送信手段とからなる在宅療養・治療支援システムの制御方法であって、
前記患者の生体情報に基づいて、情報通信ネットワークを介して前記掛かりつけ医及び／または前記専門医により診断された診断結果及び／または処方と合わせて、診断した医師以外の医師を選択・入力して診断要求するステップからなることを特徴とする在宅療養・治療支援システムの制御方法。
【請求項７】
在宅での患者に対し、掛かりつけ医，複数の専門医を情報ネットワークで構成して、医学的指導を担い、情報通信端末を備えた医療サイトと、前記患者情報，医療サイトの情報，健康管理支援サービスサイトの情報を一括して管理するサーバーサイトと、前記患者が在宅において測定機器により測定した健康関連情報を健康管理支援サービスサイトのサーバに送信する送信手段とからなる在宅療養・治療支援システムの制御方法のプログラムコードが記憶されたコンピュータ可読記憶媒体であって、
前記サーバにおいて入力及び／またはサーバへ送信された前記患者の生体情報に基づいた診断要求するステップのプログラムコードと、
診断要求に応じて、前記患者の生体情報を情報通信ネットワークを介して前記掛かりつけ医に自動送信するステップのプログラムコードとからなることを特徴とする在宅療養・治療支援システムの制御方法のプログラムコードが記憶されたコンピュータ可読記憶媒体。
【請求項８】
在宅での患者に対し、掛かりつけ医，複数の専門医を情報ネットワークで構成して、医学的指導を担い、情報通信端末を備えた医療サイトと、前記患者情報，医療サイトの情報，健康管理支援サービスサイトの情報を一括して管理するサーバーサイトと、前記患者が在宅において測定機器により測定した健康関連情報を健康管理支援サービスサイトのサーバに送信する送信手段とからなる在宅療養・治療支援システムの制御方法のプログラムコードが記憶されたコンピュータ可読記憶媒体であって、
前記サーバにおいて入力及び／またはサーバへ送信された前記患者の生体情報が所定の値を外れる場合に自動的に診断要求するステップのプログラムコードと、
診断要求に応じて、前記患者の生体情報を情報通信ネットワークを介して前記掛かりつけ医に自動送信するステップのプログラムコードとからなることを特徴とする在宅療養・治療支援システムの制御方法のプログラムコードが記憶されたコンピュータ可読記憶媒体。
【請求項９】
前記掛かりつけ医の診断要求に応じて、前記複数の専門医のうちのいずれかに前記患者の生体情報が前記情報通信ネットワークを介して送信されるステップのプログラムコードをさらに含むことを特徴とする請求項７または８に記載の在宅療養・治療支援システムの制御方法のプログラムコードが記憶されたコンピュータ可読記憶媒体。    
【請求項１０】
在宅での患者に対し、掛かりつけ医，複数の専門医を情報ネットワークで構成して、医学的指導を担い、情報通信端末を備えた医療サイトと、前記患者情報，医療サイトの情報，健康管理支援サービスサイトの情報を一括して管理するサーバーサイトと、前記患者が在宅において測定機器により測定した健康関連情報を健康管理支援サービスサイトのサーバに送信する送信手段とからなる在宅療養・治療支援システムの制御方法のプログラムコードが記憶されたコンピュータ可読記憶媒体であって、
前記患者の生体情報を情報通信ネットワークを介して前記掛かりつけ医及び／または前記専門医により診断された診断結果及び／または処方を入力するステップのプログラムコードと、前記入力された診断結果及び保険料請求を前記患者のサイトに自動送信するステップのプログラムコードとからなることを特徴とする在宅療養・治療支援システムの制御方法のプログラムコードが記憶されたコンピュータ可読記憶媒体。
【請求項１１】
在宅での患者に対し、掛かりつけ医，複数の専門医を情報ネットワークで構成して、医学的指導を担い、情報通信端末を備えた医療サイトと、前記患者情報，医療サイトの情報，健康管理支援サービスサイトの情報を一括して管理するサーバーサイトと、前記患者が在宅において測定機器により測定した健康関連情報を健康管理支援サービスサイトのサーバに送信する送信手段とからなる在宅療養・治療支援システムの制御方法のプログラムコードが記憶されたコンピュータ可読記憶媒体であって、
前記患者の生体情報に基づいて、情報通信ネットワークを介して前記掛かりつけ医及び／または前記専門医により診断された診断結果及び／または処方と合わせて、診断した医師以外の医師を選択・入力して診断要求するステップのプログラムコードからなることを特徴とする在宅療養・治療支援システムの制御方法のプログラムコードが記憶されたコンピュータ可読記憶媒体。
【発明の詳細な説明】
【技術分野】
【０００１】
本発明は、登録された在宅患者に対して、症状が軽い場合は、かかりつけ医がＩＴネットワーク(インターネット，イントラネット，専用電話回線等)で診察・処方し、必要に応じて糖尿病専門医，高血圧専門医，循環器専門医等のネットワーク医が診察(診断)・処方し、処方された薬を在宅患者は近くの調剤薬局で受け取ったり、デイケア，訪問看護を受けるようにした在宅療養・治療支援システムに関する。
【背景技術】
【０００２】
ここ数年、医療費削減の観点から、救急患者，急性期患者を治療した後、経過が良好である場合、基幹病院の医師は患者を紹介元の地域医療機関に逆紹介し（このために基幹病院の医師は地域医療機関に患者を逆紹介するための書面である逆紹介状を作成する）、以後の在宅療法に関わる医学的指導はした地域医療機関に定期的に（例えば月に一度）患者が通院して、この地域医療機関の医師から受ける場合が多い。また、長期治療が必要な場合、長期療養型の病院での治療・療養することが求められている。地域医療機関に患者を逆紹介するのは、基幹病院に過度に患者が集中して医療の効率が下がるのを避け、基幹病院と地域医療機関との機能の分担を明確化しようとする厚生労働省の方針に沿う処置である。自宅での治療(在宅治療・療法)を行う場合、在宅での定期的な生体情報の管理、訪問介護・看護が必要となる。また、定期的にかかりつけ医に通い、定期的に処方箋を発行してもらい、調剤薬局で処方薬を受け取らなければないという煩わしさがある。また、長期療養型病院は数が限られ、患者の自宅から離れたりして定期的な見舞いを行う家族にとって大きな負担となる。
【０００３】
在宅療法の１つとして在宅酸素療法を支援するシステムとして、酸素濃縮器の運転状況とともに血中酸素濃度，脈拍などを在宅医療患者サイトから医療サイトに送信するシステムが提案されている(例えば、特許文献１：特許第３０７１７１９号公報)。
【特許文献１】特許第３０７１７１９号公報
【発明の開示】
【発明が解決しようとする課題】
【０００４】
症状(容態)が安定している時はこのようなシステムで十分支援が可能であるが、症状に変化をきたした場合、重篤な状態か否かの判断を家族が行うことの対応が難しくなるという問題がある。また、患者を診断するために主治医と専門医とを通信ネットワークで接続するシステムが提案されている本(特許文献２：特開２００２−９９６１７号公報)。本発明は、上記問題に鑑みなされたもので、在宅療養・療法での管理，支援をきめ細やかにできるシステムを提供することを目的とする。また、掛かりつけ医/専門医によるはじめの診断／商法に不安がある場合、他の医師に診断／治療(セカンドオピニオン)を求めることが可能なシステムを提供することを目的とする。
【特許文献２】特開２００２−９９６１７号公報
【課題を解決するための手段】
【０００５】
上記の課題を解決するために、本発明の在宅療養・療法での管理支援できるシステムは、在宅療養・治療を支援するための支援システムであって、在宅での患者に対し、掛かりつけ医，複数の専門医を情報ネットワークで構成して、医学的指導を担い、情報通信端末を備えた医療サイトと、在宅患者情報，医療サイトの情報，健康管理支援サービスサイトの情報を一括して管理するサーバーサイトと、患者が在宅において測定機器により測定した健康関連情報を健康管理支援サービスサイトのサーバに送信する送信手段と、からなることを特徴とする。
【０００６】
また、本発明のシステムの制御方法は、在宅での患者に対し、掛かりつけ医，複数の専門医を情報ネットワークで構成して、医学的指導を担い、情報通信端末を備えた医療サイトと、患者情報，医療サイトの情報，健康管理支援サービスサイトの情報を一括して管理するサーバーサイトと、患者が在宅において測定機器により測定した健康関連情報を健康管理支援サービスサイトのサーバに送信する送信手段とからなる在宅療養・治療支援システムの制御方法であって、サーバにおいて入力及び／またはサーバへ送信された患者の生体情報に基づいた診断要求するステップと、診断要求に応じて、患者の生体情報を情報通信ネットワークを介して掛かりつけ医に自動送信するステップとからなることを特徴とする。また、在宅での患者に対し、掛かりつけ医，複数の専門医を情報ネットワークで構成して、医学的指導を担い、情報通信端末を備えた医療サイトと、患者情報，医療サイトの情報，健康管理支援サービスサイトの情報を一括して管理するサーバーサイトと、患者が在宅において測定機器により測定した健康関連情報を健康管理支援サービスサイトのサーバに送信する送信手段とからなる在宅療養・治療支援システムの制御方法であって、サーバにおいて入力及び／またはサーバへ送信された前記患者の生体情報が所定の値を外れる場合に自動的に診断要求するステップと、診断要求に応じて、患者の生体情報を情報通信ネットワークを介して掛かりつけ医に自動送信するステップとからなることを特徴とする。また、掛かりつけ医の診断要求に応じて、複数の専門医のうちのいずれかに患者の生体情報が情報通信ネットワークを介して送信されるステップをさらに含むことを特徴とする。
【０００７】
また、在宅での患者に対し、掛かりつけ医，複数の専門医を情報ネットワークで構成して、医学的指導を担い、情報通信端末を備えた医療サイトと、患者情報，医療サイトの情報，健康管理支援サービスサイトの情報を一括して管理するサーバーサイトと、患者が在宅において測定機器により測定した健康関連情報を健康管理支援サービスサイトのサーバに送信する送信手段とからなる在宅療養・治療支援システムの制御方法であって、患者の生体情報を情報通信ネットワークを介して掛かりつけ医及び／または専門医により診断された診断結果及び／または処方を入力するステップと、入力された診断結果及び保険料請求を患者のサイトに自動送信するステップとからなることを特徴とする。また、在宅での患者に対し、掛かりつけ医，複数の専門医を情報ネットワークで構成して、医学的指導を担い、情報通信端末を備えた医療サイトと、患者情報，医療サイトの情報，健康管理支援サービスサイトの情報を一括して管理するサーバーサイトと、患者が在宅において測定機器により測定した健康関連情報を健康管理支援サービスサイトのサーバに送信する送信手段とからなる在宅療養・治療支援システムの制御方法であって、患者の生体情報に基づいて、情報通信ネットワークを介して前記掛かりつけ医及び／または専門医により診断された診断結果及び／または処方と合わせて、診断した医師以外の医師を選択・入力して診断要求するステップからなることを特徴とする。
【０００８】
また、本発明の在宅療養・治療支援システムの制御方法のプログラムコードが記憶されたコンピュータ可読記憶媒体は、在宅での患者に対し、掛かりつけ医，複数の専門医を情報ネットワークで構成して、医学的指導を担い、情報通信端末を備えた医療サイトと、患者情報，医療サイトの情報，健康管理支援サービスサイトの情報を一括して管理するサーバーサイトと、患者が在宅において測定機器により測定した健康関連情報を健康管理支援サービスサイトのサーバに送信する送信手段とからなる在宅療養・治療支援システムの制御方法のプログラムコードが記憶されたコンピュータ可読記憶媒体であって、サーバにおいて入力及び／またはサーバへ送信された患者の生体情報に基づいた診断要求するステップのプログラムコードと、診断要求に応じて、患者の生体情報を情報通信ネットワークを介して掛かりつけ医に自動送信するステップのプログラムコードとからなることを特徴とする。
【０００９】
また、在宅での患者に対し、掛かりつけ医，複数の専門医を情報ネットワークで構成して、医学的指導を担い、情報通信端末を備えた医療サイトと、患者情報，医療サイトの情報，健康管理支援サービスサイトの情報を一括して管理するサーバーサイトと、前記患者が在宅において測定機器により測定した健康関連情報を健康管理支援サービスサイトのサーバに送信する送信手段とからなる在宅療養・治療支援システムの制御方法のプログラムコードが記憶されたコンピュータ可読記憶媒体であって、サーバにおいて入力及び／またはサーバへ送信された患者の生体情報が所定の値を外れる場合に自動的に診断要求するステップのプログラムコードと、診断要求に応じて、患者の生体情報を情報通信ネットワークを介して掛かりつけ医に自動送信するステップのプログラムコードとからなることを特徴とする。また、掛かりつけ医の診断要求に応じて、複数の専門医のうちのいずれかに前記患者の生体情報が前記情報通信ネットワークを介して送信されるステップのプログラムコードをさらに含むことを特徴とする。          
【００１０】
また、在宅での患者に対し、掛かりつけ医，複数の専門医を情報ネットワークで構成して、医学的指導を担い、情報通信端末を備えた医療サイトと、患者情報，医療サイトの情報，健康管理支援サービスサイトの情報を一括して管理するサーバーサイトと、前記患者が在宅において測定機器により測定した健康関連情報を健康管理支援サービスサイトのサーバに送信する送信手段とからなる在宅療養・治療支援システムの制御方法のプログラムコードが記憶されたコンピュータ可読記憶媒体であって、患者の生体情報を情報通信ネットワークを介して掛かりつけ医及び／または専門医により診断された診断結果及び／または処方を入力するステップのプログラムコードと、入力された診断結果及び保険料請求を患者のサイトに自動送信するステップのプログラムコードとからなることを特徴とする。在宅での患者に対し、掛かりつけ医，複数の専門医を情報ネットワークで構成して、また、医学的指導を担い、情報通信端末を備えた医療サイトと、患者情報，医療サイトの情報，健康管理支援サービスサイトの情報を一括して管理するサーバーサイトと、患者が在宅において測定機器により測定した健康関連情報を健康管理支援サービスサイトのサーバに送信する送信手段とからなる在宅療養・治療支援システムの制御方法のプログラムコードが記憶されたコンピュータ可読記憶媒体であって、患者の生体情報に基づいて、情報通信ネットワークを介して前記掛かりつけ医及び／または前記専門医により診断された診断結果及び／または処方と合わせて、診断した医師以外の医師を選択・入力して診断要求するステップのプログラムコードからなることを特徴とする。
【発明の効果】
【００１１】
上述のシステムにおいては、（１）在宅での腹膜透析，在宅酸素療法，在宅栄養療法等が家族の負担が少なく、安心して実施できる。（２）患者はできるだけ通院回数を減らすことができ、掛かりつけ医または専門医の処方指示に基づき、患者は近所等患者の都合のよい調剤薬局に処方薬を取りに行ったり、配送依頼することも可能になる。初めの診断／処方（治療）に不安がある場合でも他の専門医に対して容易に別の診断／処方(治療)(セカンドホピニオン)を求めることができる。
【発明を実施するための最良の形態】
【００１２】
以下、図面に基づき詳述する。図１は、本発明の在宅療養・治療支援システムの全体システムを示すものである。１は患者(在宅患者)サイト、２は健康管理支援サイト、３は掛かりつけ医サイト、３ａは複数の専門医で構成される専門医サイト、４は管理栄養士サイト、５は調剤薬局、６は訪問介護，デイケア等を行うケアサイト、７は電話回線，ＬＡＮ，インターネット等の情報通信ネットワーク、１０,２０,３０,４０,５０,６０,３００はコンピュータ、１０ａ,２０ａ,３０ａ,４０ａ,５０ａ,６０ａ,３００ａはＣＰＵ(制御部)で、それぞれのサイトでのシステムの制御を行う制御部，ＲＯＭ，ＲＡＭ等を含むものであり、制御プログラムが記憶されている。１１,２１,３１,４１,５１,６１,３０１は外部通信部、１２,２２,３２,４２,５２,６２,３０２は表示部、１３,２３,３３,４３,５３,６３,３０３は入力部、１４,２４,３４,４４,５４,６４,３０４は記憶部、１６,２６,３６,４６,５６,６６,３０６はサーバー、１７は、血糖計,血圧計,呼吸センサ,脈伯センサ,体温計,尿検査器などの医療用電子機器等の生体情報測定機器、１８はｉ−モードの通信機能を有する携帯電話(携帯端末)である。なお、それぞれのサイト１，２，３，４，５，６，３００でカメラ等の撮像手段を備えておけばより細やかな対応が可能である。
【００１３】
図２は、健康管理サイト２のサーバーに記憶・登録する場合の各サイトにおける表示部１２,２２,３２,４２,５２,６２,３０２に表示される画面の一例である。（ａ）は、患者サイト１または健康管理サイト２で新規に患者登録する場合の患者の新規登録画面である。なお、検索された画面，入力変更画面，削除画面も同様の表示形態とすることが好ましい。
【００１４】
（ｂ）は、掛かりつけ医サイト３，専門医サイト３ａ，健康管理サイト２のいずれかで新規に医師（掛かりつけ医，専門医）の登録する場合の新規登録画面である。なお、検索された画面，入力変更画面，削除画面も同様の表示形態とすることが好ましい。
【００１５】
（ｃ）は、ケアサイト(訪問看護センター，デイケアセンター) または健康管理サイト２で新規にケアサイトを登録する場合の新規登録画面である。なお、検索された画面，入力変更画面，削除画面も同様の表示形態とすることが好ましい。
【００１６】
（ｄ）は、調剤薬局(コンビニが同様の機能を果たす場合もある)５または健康管理サイト２で新規に調剤薬局を登録する場合の新規登録画面である。なお、検索された画面，入力変更画面，削除画面も同様の表示形態とすることが好ましい。
【００１７】
（ｅ）は、管理栄養士サイト４または健康管理サイト２で新規に新管理栄養士の新規登録する場合の新規登録画面である。なお、検索された画面，入力変更画面，削除画面も同様の表示形態とすることが好ましい。
【００１８】
以下に、在宅での診断(健康診断)、処方について詳述する。診断を行うための生体情報として、血圧値(最高血圧／最低血圧)(ｍｍＨｇ)，脈拍数，呼吸数，血糖値(ｍｇ/ｄｌ)，尿蛋白，尿潜血，体温，尿酸(ｍｇ/ｄｌ)，クレアニチン(ｍｇ/ｄｌ)，血中酸素飽和度,心電図等があるが、血糖値を一例として説明する。
【００１９】
図５は、生体情報測定装置１７(図１参照)としての外部通信機能を有する血糖計であり、図５(ａ)は、その概観斜視図、図２（ｂ）は、その上面図である。１６０ｂは電源ＯＮ／ＯＦＦスイッチ、１６０ｃは記憶部１６４に記憶された血糖値などのトレンド値を呼出し、表示部１６２に表示させるための記憶呼出スイッチである。表示部１６２は、血糖値、そのトレンド情報等を表示する。１６３は、入力部(テンキー)、１６７は血糖値測定部である。なお、入力部１６３は開始スイッチ，外部送信スイッチも含んでいる。  
【００２０】
図３は、血糖計１６０の記憶部(不図示)，健康管理サイト２のサーバーに記憶された血糖値，そのトレンド値，投与薬(例えばインスリン)の有無の一例(図４(ａ))とトレンドグラフである(図４(ｂ))。図４(ａ)に示すような、患者の識別情報と併せた生体情報(血糖値の外に、血圧値(最高血圧／最低血圧)(ｍｍＨｇ)，脈拍数，呼吸数，尿蛋白，尿潜血，体温，尿酸(ｍｇ/ｄｌ)，クレアニチン(ｍｇ/ｄｌ)，血中酸素飽和度，心電図等のうち少なくいずれかを含むようにしてもよい)は健康管理支援サイト２のサーバー２６に記憶されている。図４に示すデータは、後述するように、予め登録し、識別(ＩＤ)番号を付与された患者のみが識別番号とパスワードを患者サイト１の入力部１３，携帯電話，掛かりつけ医サイト３の入力部３３，専門医サイト３ａの入力部３０３，ケアサイト６の入力部６３のいずれかで入力することで、サーバー２６からデータを呼び出し、患者サイト１の表示部１２，携帯電話，掛かりつけ医サイト３の表示部３２，専門医サイト３ａの表示部３０２，ケアサイト６の表示部６２，血糖計１６０の表示部１６２のいずれかで表示させたり、プリント出力して確認が可能である。
【００２１】
このシステムにより在宅療養・治療支援サービスを受けようとする患者(被検者)は、健康管理サイト２に登録する必要がある。まず、健康管理サイト２にインターネット，ＬＡＮ等の情報通信ネットワーク７を介して健康管理サイト２のｗｅｂサイトにアクセスし、患者(被検者)登録を行う必要がある。
【００２２】
図２(ａ)は、その登録画面の一例であり、患者サイト１の表示部１２、健康管理支援サイト２の表示部２２に表示される。患者氏名，住所，生年月日，健康保険証番号，主治医(掛かりつけ医)，電話番号を入力すると、患者の識別(ＩＤ)番号が付与され、表示される。健康管理支援サイト２で予め許可を得た薬局名，健康管理支援サイト２で予め許可を得たケアサイト，健康管理支援サイト２で予め許可を得た管理栄養士サイト，健康管理支援サイト２で予め許可を得た病院名，健康管理支援サイト２で予め許可を得た主治医名，診療科名(希望診療科名)，現在の病状(基礎疾患)，疾患名，既往症等を入力(または選択)し、登録ボタンを押下(クリック)すると、健康管理支援サイト２のサーバー２６に入力、登録された患者情報が記憶される。また、図２(ａ)は患者に対して、掛かりつけ医サイト３または専門医サイト３ａの表示部３２，３０２で診断結果／処方を入力したり、患者サイト１に送信する場合の情報を示す画面である。また、患者サイト１において、診断結果／処方を表示部１２に表示させる画面である。また、患者サイト１から他の診断(セカンドオピニオン)を求めるために、他の専門医サイト３ａに送信するために確認したり、入力する画面でもある。さらにセカンドオピニオンを求められた専門医サイト３ａの表示部３２，３０２で診断結果／処方を入力したり、患者サイト１に送信する場合の情報を示す画面でもある。
【００２３】
図２(ｂ)は、健康管理支援サイト２で予め許可を得た医師(掛かり付け医または専門医)を登録したり、医師(掛かり付け医または専門医)からの登録要求により登録する画面であり、健康管理支援サイト２の表示部２２または掛かりつけ医サイト３が健康管理サイト２にインターネット，ＬＡＮ等の情報通信ネットワーク７を介して健康管理サイト２のｗｅｂサイトにアクセスし、掛かりつけ医サイト３の表示部３２に表示させて入力し登録する画面であり、氏名，住所，生年月日，電話番号，専門区分等を入力し、登録する。登録されたデータは、健康管理支援サイト２のサーバー２６に記憶され、患者が主治医を選択する時にスクロール表示でき、利用可能となっている。
【００２４】
図２(ｃ)は、健康管理支援サイト２で予め許可を得たケアサイト(看護/介護サイト，デイケアサイト等)を登録したり、ケアサイト(看護/介護サイト，デイケアサイト等)からの登録要求により登録する画面であり、健康管理支援サイト２の表示部２２またはケアサイト(看護/介護サイト，デイケアサイト等)６から健康管理サイト２にインターネット，ＬＡＮ等の情報通信ネットワーク７を介して健康管理サイト２のｗｅｂサイトにアクセスし、ケアサイト６表示部６２に表示させて入力し登録する画面であり、名称，住所，電話番号を入力し、登録する。登録されたデータは、健康管理支援サイト２のサーバー２６に記憶され、患者がケアサイトを選択する時にスクロール表示でき、利用可能となっている。
【００２５】
図２(ｄ)は、健康管理支援サイト２で予め許可を得た調剤薬局(または調剤薬局の機能を果たすコンビーニェンス・ストア等)を登録したり、薬局からの登録要求により登録する画面であり、健康管理支援サイト２の表示部２２またはケアサイト(看護/介護サイト，デイケアサイト等)６から健康管理サイト２にインターネット，ＬＡＮ等の情報通信ネットワーク７を介して健康管理サイト２のｗｅｂサイトにアクセスし、調剤薬局５の表示部５２に表示させて入力し登録する画面であり、名称，住所，電話番号を入力し、登録する。登録されたデータは、健康管理支援サイト２のサーバー２６に記憶され、患者が調剤薬局を選択する時にスクロール表示でき、利用可能となっている。
【００２６】
図２(ｅ)は、健康管理支援サイト２で予め許可を得た管理栄養士を登録したり、管理栄養士からの登録要求により登録する画面であり、健康管理支援サイト２の表示部２２またはケアサイト(看護/介護サイト，デイケアサイト等)６から健康管理サイト２にインターネット，ＬＡＮ等の情報通信ネットワーク７を介して健康管理サイト２のｗｅｂサイトにアクセスし、管理栄養士サイト４の表示部４２に表示させて入力し登録する画面であり、名称，住所，電話番号を入力し、登録する。登録されたデータは、健康管理支援サイト２のサーバー２６に記憶され、患者が管理栄養士を選択する時にスクロール表示でき、利用可能となっている。
【００２７】
こうして、健康管理支援サイト２において、患者，医師(掛かりつけ医，専門医，栄養管理者の情報をリンクしたデータベースが構築され、情報通信ネットワークにより、患者，医師(掛かりつけ医，専門医，栄養管理者それぞれのサイトからアクセス可能となっている。このため、例えば、患者サイト１からの例えば血糖値の診断要求に応じて、その旨の送信が掛かりつけ医に自動送信可能となる(図３(ａ))。また、例えば、血糖値が閾値を外れるような場合、自動的に診断(処方)請求がなされ、その旨の送信が掛かりつけ医に自動送信可能となる(図３(ｂ))。また、掛かりつけ医からの診断(処方)請求に応じて、患者の血糖値を専門医に自動的に送信される。また、患者サイト１からの例えば血糖値の診断要求セカンドオピニオンの要求に応じて、その旨の送信が前記掛かりつけ医／専門医以外の専門医に自動送信可能となる。
【００２８】
また、患者はできるだけ通院回数を減らすことができ、掛かりつけ医または専門医の処方指示に基づき、患者は近所等患者の都合のよい調剤薬局に処方薬を取りに行ったり、配送依頼することも可能になる。
【図面の簡単な説明】
【００２９】
【図１】本発明のシステム全体のブロック図である。
【図２】本発明のシステムにおける入力画面を示す図である。
【図３】本発明の一部のシステムのフローチャートである。
【図４】本発明のシステムにおける表示画面を示す図である。
【図５】本発明のシステムに適用する生体情報測定装置を示す図である。
【符号の説明】
【００３０】
１  患者(在宅患者)サイト、２  健康管理支援サイト、３  掛かりつけ医サイト、３ａ  複専門医サイト、４  管理栄養士サイト、５  調剤薬局、６  ケアサイト、７  情報通信ネットワーク、１０,２０,３０,４０,５０,６０,３００  コンピュータ、１０ａ,２０ａ,３０ａ,４０ａ,５０ａ,６０ａ,３００ａ  ＣＰＵ(制御部)、１１,２１,３１,４１,５１,６１,３０１  外部通信部、１２,２２,３２,４２,５２,６２,３０２  表示部、１３,２３,３３,４３,５３,６３,３０３  入力部、１４,２４,３４,４４,５４,６４,３０４  記憶部、１６,２６,３６,４６,５６,６６,３０６  サーバー、１７  生体情報測定機器、１８  ｉ−モードの通信機能を有する携帯電話  
【図１】
2005227928.tif 000003
【図２】
2005227928.tif 000004
【図３】
2005227928.tif 000005
【図４】
2005227928.tif 000006
【図５】
2005227928.tif 000007